【手続補正書】
【提出日】平成23年6月24日(2011.6.24)
【手続補正１】
【補正対象書類名】明細書
【補正対象項目名】０００５
【補正方法】変更
【補正の内容】
【０００５】
概要
炭酸塩化合物の沈殿を含む脱塩方法を提供する。特定の実施形態では、供給水を脱塩の前に炭酸塩化合物沈殿条件に供する。特定の実施形態では、脱塩廃ブラインを炭酸塩化合物沈殿条件に供する。さらに他の実施形態では、供給水および廃ブラインの両方を炭酸塩化合物沈殿条件に供する。本発明の態様には二酸化炭素の隔離が含まれる。本発明の実施形態ではさらに、炭酸塩化合物沈殿条件における沈殿生成物を、建築材料、例えばセメントとして使用する。また、本発明の方法に使用するために構成されたシステムも提供する。
本発明は、例えば以下の項目を提供する。
（項目１）
水を脱塩する方法であって、前記方法が、
供給水を提供する工程と；
前記供給水を脱塩プロセスに供し、脱塩された生成水および廃ブラインを生成する工程と
を含み、
前記方法がさらに、前記方法の間に少なくとも１回、炭酸塩化合物沈殿プロセスを使用する工程を含む、方法。
（項目２）
前記脱塩プロセスが蒸留プロトコルである、項目１に記載の方法。
（項目３）
前記脱塩プロセスが膜プロトコルである、項目１に記載の方法。
（項目４）
前記炭酸塩化合物沈殿プロセスが、水とＣＯ２とを接触させる工程を含む、項目１に記載の方法。
（項目５）
前記炭酸塩化合物沈殿プロセスが、前記供給水を前記脱塩プロセスに供する前に、前記供給水にて行なわれる、項目１に記載の方法。
（項目６）
前記炭酸塩化合物沈殿プロセスが、前記廃ブラインにて行なわれ、処理された廃ブラインを生成する、項目１に記載の方法。
（項目７）
前記炭酸塩化合物沈殿条件がまた、ホウ素含有化合物を沈殿させる、項目１に記載の方法。
（項目８）
前記供給水が海水である、項目１に記載の方法。
（項目９）
前記供給水が半塩水である、項目１に記載の方法。
（項目１０）
前記供給水がブラインである、項目１に記載の方法。
（項目１１）
前記炭酸塩化合物沈殿プロセスが遷移金属触媒を使用する、項目１に記載の方法。
（項目１２）
前記方法がさらに、前記炭酸塩化合物沈殿プロセスの炭酸塩化合物沈殿物を建築材料として使用する工程を含む、項目１に記載の方法。
（項目１３）
水を脱塩する方法であって、前記方法が、
塩水供給水を炭酸塩化合物沈殿条件に供し、炭酸塩化合物沈殿物およびアルカリ土類金属イオン欠失水を生成する工程と；
前記アルカリ土類金属イオン欠失水を脱塩して生成水を生成する工程と
を含む、方法。
（項目１４）
前記脱塩工程が逆浸透を含む、項目１２に記載の方法。
（項目１５）
前記炭酸塩化合物沈殿条件が、前記塩水供給水とＣＯ２とを接触させる工程を含む、項目１２に記載の方法。
（項目１６）
前記炭酸塩化合物沈殿条件がまた、ホウ素含有化合物を沈殿させる、項目１２に記載の方法。
（項目１７）
前記塩水供給水が海水である、項目１２に記載の方法。
（項目１８）
前記塩水供給水が半塩水である、項目１２に記載の方法。
（項目１９）
前記塩水供給水がブラインである、項目１２に記載の方法。
（項目２０）
前記方法がさらに、前記炭酸塩化合物沈殿物を建築材料として使用する工程を含む、項目１２に記載の方法。
（項目２１）
前記建築材料がコンクリートである、項目２０に記載の方法。
（項目２２）
ａ）塩水を脱塩して、脱塩水および廃ブラインを生成する工程と、
ｂ）前記廃ブラインを炭酸塩化合物沈殿条件に供し、炭酸塩化合物沈殿組成物および欠失ブラインを生成する工程と、
ｃ）前記沈殿組成物を前記欠失ブラインから分離する工程と
を含む、方法。
（項目２３）
前記塩水が海水である、項目２２に記載の方法。
（項目２４）
前記方法がさらに、前記欠失ブラインを海に放出する工程を含む、項目２３に記載の方法。
（項目２５）
前記脱塩工程が蒸留を含む、項目２２に記載の方法。
（項目２６）
前記脱塩工程が逆浸透を含む、項目２２に記載の方法。
（項目２７）
前記炭酸塩化合物沈殿条件が前記塩水供給水とＣＯ２とを接触させる工程を含む、項目２２に記載の方法。
（項目２８）
前記方法がさらに、前記沈殿物を建築材料として使用する工程を含む、項目２２に記載の方法。
（項目２９）
前記建築材料がセメントである、項目２８に記載の方法。
（項目３０）
水を脱塩するためのシステムであって、前記システムが、
脱塩される水の投入口と；
脱塩ステーションと
炭酸塩化合物沈殿反応器と
を含む、システム。
（項目３１）
前記投入口が、海水供給源と流体連通している、項目３０に記載のシステム。
（項目３２）
前記炭酸塩化合物沈殿反応器が、前記投入口からの水が、前記脱塩ステーションに入る前に前記反応器を通過するように配置される、項目３０に記載のシステム。
（項目３３）
前記炭酸塩化合物沈殿反応器が、前記脱塩ステーションによって生成された廃ブラインが前記反応器を通過するように配置される、項目３０に記載のシステム。
（項目３４）
前記脱塩ステーションが蒸留脱塩ステーションである、項目３０に記載のシステム。
（項目３５）
前記脱塩ステーションが逆浸透脱塩ステーションである、項目３０に記載のシステム。
（項目３６）
前記炭酸塩化合物沈殿反応器がＣＯ２供給源のための投入口を含む、項目３０に記載のシステム。
（項目３７）
前記システムがさらに、前記反応器によって生成した沈殿物からセメントを生成するセメント生成ステーションを含む、項目３０に記載のシステム。
【手続補正２】
【補正対象書類名】特許請求の範囲
【補正対象項目名】全文
【補正方法】変更
【補正の内容】
【特許請求の範囲】
【請求項１】
水を脱塩する方法であって、前記方法が、
供給水を提供する工程と；
前記供給水を脱塩プロセスに供し、脱塩された生成水および廃ブラインを生成する工程と
を含み、
前記方法がさらに、前記供給水または前記廃ブラインをＣＯ２と接触させ、炭酸カルシウムおよびストロンチウムを含む炭酸塩生成物組成物を形成する工程を含む、前記方法の間に、少なくとも１回、炭酸塩化合物沈殿プロセスを使用する工程を含む、方法。
【請求項２】
前記脱塩プロセスが蒸留プロトコルである、請求項１に記載の方法。
【請求項３】
前記脱塩プロセスが膜プロトコルである、請求項１に記載の方法。
【請求項４】
前記炭酸塩化合物沈殿プロセスが、前記供給水を前記脱塩プロセスに供する前に、前記供給水にて行なわれる、請求項１〜３のいずれか一項に記載の方法。
【請求項５】
前記炭酸塩化合物沈殿プロセスが、前記供給水をＣＯ２と接触させる工程を含み、前記ＣＯ２の供給源が、石炭またはその他の燃料燃焼物からの排煙である、請求項４に記載の方法。
【請求項６】
前記炭酸塩化合物沈殿プロセスが、前記廃ブラインにて行なわれ、処理された廃ブラインを生成する、請求項１〜５のいずれか一項に記載の方法。
【請求項７】
前記炭酸塩化合物沈殿プロセスが、前記廃ブラインをＣＯ２と接触させる工程を含み、前記ＣＯ２の供給源が、石炭またはその他の燃料燃焼物からの排煙である、請求項６に記載の方法。
【請求項８】
前記炭酸塩化合物沈殿プロセスがまた、ホウ素含有化合物を沈殿させる、請求項１〜７のいずれか一項に記載の方法。
【請求項９】
前記供給水が海水である、請求項１〜８のいずれか一項に記載の方法。
【請求項１０】
前記供給水が半塩水である、請求項１〜８のいずれか一項に記載の方法。
【請求項１１】
前記供給水がブラインである、請求項１〜８のいずれか一項に記載の方法。
【請求項１２】
前記炭酸塩化合物沈殿プロセスが遷移金属触媒を使用する、請求項１〜１１のいずれか一項に記載の方法。
【請求項１３】
前記ストロンチウムが、前記炭酸塩生成物組成物中で、３〜１０，０００ｐｐｍの量で存在する、請求項１〜１２のいずれか一項に記載の方法。
【請求項１４】
前記ストロンチウムが、前記炭酸塩生成物組成物中で、５〜５，０００ｐｐｍの量で存在する、請求項１３に記載の方法。
【請求項１５】
前記炭酸塩生成物組成物を、前記供給水、前記排ブライン、またはその両方から分離する工程をさらに含む、
請求項１〜１４のいずれか一項に記載の方法。
【請求項１６】
前記炭酸塩生成物組成物を乾燥させる工程をさらに含む、請求項１５に記載の方法。
【請求項１７】
前記方法がさらに、前記炭酸塩化合物沈殿プロセスの炭酸塩化合物沈殿物を建築材料として使用する工程を含む、請求項１〜１６のいずれか一項に記載の方法。